(57)【特許請求の範囲】
【請求項１】
ホームノードＢ（ＨＮＢ）又はＨＮＢゲートウェイ（ＨＮＢ  ＧＷ）によって、ページング範囲インジケータ情報を備えるダウンリンクデータ通知メッセージをコアネットワーク制御プレーンエンティティに送信することと、
前記ＨＮＢ又は前記ＨＮＢ  ＧＷによって、前記コアネットワーク制御プレーンエンティティによって送信されたページング範囲を備えるページングメッセージを受信することと、
前記ＨＮＢ又は前記ＨＮＢ  ＧＷによって、前記ページング範囲内のユーザＩＤに対応するユーザ装置（ＵＥ）に対するページングを開始することと、
を備える、ＵＥをページングするための方法。
【請求項２】
前記ページング範囲インジケータ情報が、ページングインジケータ情報を備え、
前記ページングインジケータ情報が、ダウンリンクパケットのソースアドレス情報と、前記ダウンリンクパケットの宛先アドレスと、前記ダウンリンクパケットのサービスタイプと、ダウンリンク・データソースのパケットデータ・ネットワーク（ＰＤＮ）のアクセスポイント名（ＡＰＮ）と、前記ダウンリンク・データソースのＰＤＮゲートウェイ（Ｐ−ＧＷ）とのうちの少なくとも１つを備え、
前記方法は、更に、
前記ＨＮＢ又は前記ＨＮＢ  ＧＷによって、前記ＵＥのダウンリンクデータを受信し、前記ページングインジケータ情報にしたがってページング範囲を決定することを備え、
前記ＨＮＢ又は前記ＨＮＢ  ＧＷによって、前記ページング範囲インジケータ情報を備えるダウンリンクデータ通知メッセージを前記コアネットワーク制御プレーンエンティティに送信することが、
前記ＨＮＢ又は前記ＨＮＢ  ＧＷによって、前記ページング範囲インジケータ情報内に前記ページング範囲を搬送することによって前記ページング範囲を前記コアネットワーク制御プレーンエンティティに送信することと、
を備える、請求項１に記載の前記ＵＥをページングするための方法。
【請求項３】
前記ページング範囲インジケータ情報が、ページングインジケータ情報を備え、
前記ページングインジケータ情報が、ダウンリンクパケットのソースアドレス情報と、前記ダウンリンクパケットの宛先アドレスと、前記ダウンリンクパケットのサービスタイプと、ダウンリンク・データソースのパケットデータ・ネットワーク（ＰＤＮ）のアクセスポイント名（ＡＰＮ）と、前記ダウンリンク・データソースのＰＤＮゲートウェイ（Ｐ−ＧＷ）とのうちの少なくとも１つを備え、
前記方法が、更に、
前記コアネットワーク制御プレーンエンティティによって前記ダウンリンクデータ通知メッセージを受信することと、前記ページングインジケータ情報を取得することと、前記ページングインジケータ情報にしたがって前記ページング範囲を決定することと、
を備える、請求項１に記載の前記ＵＥをページングするための方法。
【請求項４】
前記ページングインジケータ情報にしたがって前記ページング範囲を決定することが、
前記コアネットワーク制御プレーンエンティティによって、前記ページングインジケータ情報にしたがって、ダウンリンクデータが第２のホームノードＢ（ＨＮＢ）から来ているかまたはコアネットワークから来ているかを判定することと、
前記コアネットワーク制御プレーンエンティティによって、前記ダウンリンクデータが前記第２のＨＮＢから来ている場合には、前記ページング範囲が前記第２のＨＮＢであると決定し、前記ダウンリンクデータが前記コアネットワークから来ている場合には、前記ページング範囲がユーザ登録領域であると決定することと、
を備える、請求項３に記載の前記ＵＥをページングするための方法。
【請求項５】
前記コアネットワーク制御プレーンエンティティによって、前記ページングインジケータ情報が前記第２のＨＮＢのＨＮＢ  ＩＤまたはＨＮＢ  ＧＷ  ＩＤを備える場合には、前記ＨＮＢ  ＩＤまたは前記ＨＮＢ  ＧＷ  ＩＤにしたがって前記ページング範囲が前記第２のＨＮＢであると決定することを更に備えるか、または、
前記コアネットワーク制御プレーンエンティティによって、前記ＵＥのコンテキスト情報を取得することと、前記コンテキスト情報にしたがって前記ＵＥが帰属するＨＮＢ又は帰属したＨＮＢのＨＮＢ  ＩＤを決定することと、前記ＨＮＢ  ＩＤにしたがって前記ページング範囲が前記第２のＨＮＢであると決定することとを更に備える、
請求項４に記載の前記ＵＥをページングするための方法。
【請求項６】
前記ページング範囲内の前記ユーザＩＤに対応する前記ＵＥに対するページングを開始した後に、前記方法は、更に、
前記コアネットワーク制御プレーンエンティティによって、前記ページング範囲がユーザ登録領域であると決定し、ページング応答が予め設定された時間内に前記ＵＥから受信されない場合には、前記ユーザ登録領域内の前記ＵＥをページングすることを備える、
請求項１に記載の前記ＵＥをページングするための方法。
【請求項７】
前記ページング範囲内の前記ユーザＩＤに対応する前記ＵＥに対するページングを開始した後に、前記方法は、更に、
前記ＵＥがページングに応答するノードＢ（ＮＢ）が前記ダウンリンクデータを受信するＮＢとは異なる場合に、前記ダウンリンクデータを受信する前記ＮＢによって前記ＵＥがページングに応答する前記ＮＢに前記ダウンリンクデータを転送することを備える、
請求項４に記載のＵＥをページングするための方法。
【請求項８】
ページング範囲インジケータ情報を備えるダウンリンクデータ通知メッセージをコアネットワーク制御プレーンエンティティに送信するように構成された第１の送信モジュールと、
前記コアネットワーク制御プレーンエンティティによって送信されたページング範囲を備えるページングメッセージを受信するように構成された第１の受信モジュールと、
前記ページング範囲内のユーザＩＤに対応するユーザ装置（ＵＥ）に対するページングを開始するように構成されたページング開始モジュールと、
を備える、ＵＥをページングするための装置。
【請求項９】
前記第１の送信モジュールが、
ダウンリンクパケットのソースアドレス情報と、前記ダウンリンクパケットの宛先アドレスと、前記ダウンリンクパケットのサービスタイプと、ダウンリンク・データソースのパケットデータ・ネットワーク（ＰＤＮ）のアクセスポイント名（ＡＰＮ）と、前記ダウンリンク・データソースのＰＤＮゲートウェイ（Ｐ−ＧＷ）とのうちの少なくとも１つを備える前記ページング範囲インジケータ情報内のページングインジケータ情報を取得するように構成された情報取得ユニットと、
前記ページングインジケータ情報にしたがってページング範囲を決定するように構成された第１の決定ユニットと、
前記ページング範囲インジケータ情報内の前記ページング範囲を搬送することによって、前記ページング範囲を前記コアネットワーク制御プレーンエンティティに送信するように構成された送信ユニットと、
を備える、請求項８に記載のＵＥをページングするための装置。
【請求項１０】
ページング範囲インジケータ情報を備えるダウンリンクデータ通知メッセージを受信するように構成された第２の受信モジュールと、
前記ページング範囲インジケータ情報にしたがって、ページング範囲を備えるページングメッセージを生成するように構成されたページングメッセージ生成モジュールと、
前記ページング範囲を備える前記ページングメッセージを第１のホームノードＢ（ＨＮＢ）に送信するように構成された第２の送信モジュールと、
を備える、ユーザ装置（ＵＥ）をページングするための装置。
【請求項１１】
前記ページングメッセージ生成モジュールが、
前記ダウンリンクデータ通知メッセージ内の前記ページング範囲インジケータ情報を取得するように構成された取得ユニットと、
前記ページング範囲インジケータ情報にしたがって、ダウンリンクデータが第２のＨＮＢから来ているかまたはコアネットワークから来ているかを決定し、前記ページング範囲が前記第１のＨＮＢまたはユーザ登録領域であることを指示するページングメッセージを生成し、前記ページングメッセージを前記第２の送信モジュールに送信するように構成された第２の決定ユニットと、
を備える、請求項１０に記載のＵＥをページングするための装置。
【請求項１２】
前記ページングメッセージ生成モジュールが、更に、
前記ダウンリンクデータが前記第２のＨＮＢから来ていることを前記第２の決定ユニットが決定した場合、前記ページング範囲インジケータ情報内の前記ページングインジケータ情報によって示された前記第１のＨＮＢのＨＮＢ  ＩＤまたはＨＮＢゲートウェイ（ＧＷ）ＩＤにしたがって、前記ページング範囲が前記第１のＨＮＢであると決定するように構成されるか、または、前記ＵＥのコンテキスト情報にしたがって、前記ＵＥが帰属する第１のＨＮＢ又は帰属した第１のＨＮＢのＨＮＢ  ＩＤを決定し、前記ＨＮＢ  ＩＤにしたがって前記ページング範囲が前記第１のＨＮＢであると決定し、前記ページング範囲を備える前記ページングメッセージを前記第２の送信モジュールに送信するように構成された第３の決定ユニットを備えるか、または、
前記第３の決定ユニットが更に、前記ページング範囲が前記ユーザ登録領域であると決定し、前記ダウンリンクデータが前記コアネットワークから来ていると前記第２の決定ユニットが決定した場合、前記ページング範囲を備えた前記ページングメッセージを前記第２の送信モジュールに送信するように構成される、
請求項１１に記載のＵＥをページングするための装置。
【請求項１３】
前記第２の送信モジュールが前記ページング範囲内のユーザＩＤに対応するＵＥに対するページングを開始した後に、予め設定された時間内に前記ＵＥのページング応答が受信されない場合に、前記ページング範囲がユーザ登録領域であると決定して前記ユーザ登録領域内のＵＥをページングするように構成されたページング回復モジュール
を更に備える、請求項１０に記載のＵＥをページングするための装置。
【請求項１４】
請求項８又は９に記載の装置を備えるホームノードＢ（ＨＮＢ）と、
請求項１０〜１３のいずれかに記載の装置を備えるコアネットワーク制御プレーンエンティティと、
を備える、ユーザ装置（ＵＥ）をページングするためのシステム。
【発明の詳細な説明】
【技術分野】
【０００１】
本発明は、通信技術の分野に関し、特にユーザ装置（ＵＥ）をページングするための方法、装置およびシステムに関する。
【背景技術】
【０００２】
ネットワーク技術の急速な発展によって、インターネットアクセス技術は絶えず改善されている。種々のユーザグループの個人化された要件を満足させるために、通信システムにホームノードＢ（Ｈｏｍｅ  ＮｏｄｅＢ）が出現している。一種のノードＢであるＨＮＢは、専用的使用のために家庭、団体、会社または学校といった場所に自立的に配備される。ＨＮＢは、私的ネットワーク権利を有するＵＥだけが常駐またはアクセスすることを可能にするように設定され得て、これらのＵＥはまた公的ネットワークに常駐またはアクセスすることもあり得る。ホームアクセス・モードは現在研究されている新しいアクセスモードである。
【０００３】
ホームアクセス・モードは、ＨＮＢおよび認可されたスペクトルを使用することによって、ユニバーサル・インターネットプロトコル（ＩＰ）アクセスネットワークを介して、移動体ネットワークにユーザ装置（Ｕｓｅｒ  Ｅｑｕｉｐｍｅｎｔ、略してＵＥ）を接続する。認可されたスペクトルは、多数のネットワークにおけるスペクトルを、例えばＵＭＴＳ地上無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ、略してＵＴＲＡＮ）、発展ＵＭＴＳ地上無線アクセスネットワーク（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ、略してＥ−ＵＴＲＡＮ）、符号分割多元接続（Ｃｏｄｅ  Ｄｉｖｉｓｉｏｎ  Ｍｕｌｔｉｐｌｅ  Ａｃｃｅｓｓ、略してＣＤＭＡ）ネットワーク、マイクロ波アクセス用世界相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略してＷｉｍａｘ）ネットワーク、無線ローカルエリア・ネットワーク（Ｗｉｒｅｌｅｓｓ  Ｌｏｃａｌ  Ａｒｅａ  Ｎｅｔｗｏｒｋ、略してＷＬＡＮ）、および高速パケットデータ（Ｈｉｇｈ  Ｒａｔｅ  Ｐａｃｋｅｔ  Ｄａｔａ、略してＨＲＰＤ）ネットワーク等のネットワークで使用されるスペクトルを含み得る。
【０００４】
ホームネットワーク内に設定されたＨＮＢは、一般に、ＩＰネットワークにアクセスする前にホームゲートウェイ（Ｈｏｍｅ  Ｇａｔｅ  Ｗａｙ、略してＨｏｍｅ  ＧＷ）を通過する必要がある。Ｈｏｍｅ  ＧＷは、ＨＮＢを統合し、またＨＮＢと移動体ネットワーク内のネットワーク要素との間の信号送出とデータとの経路指定および転送、バックホール（ｂａｃｋｈａｕｌ）ネットワーク（ディジタル加入者線等）におけるベアラー（ｂｅａｒｅｒ）管理、サービスの品質（Ｑｕａｌｉｔｙ  ｏｆ  Ｓｅｒｖｉｃｅ、略してＱｏＳ）管理、およびネットワークアドレス変換等の機能を有する。論理的には、ＨＧＷとＨＮＢとは、異なるネットワークエンティティであり、同じ物理的エンティティによって特定の物理的実現形態に実現され得る。
【０００５】
ホームノードＢ（Ｈｏｍｅ  Ｎｏｄｅ  Ｂ、略してＨＮＢ）ゲートウェイ（Ｇａｔｅ  Ｗａｙ、ＧＷ）、ホーム発展ノードＢ（Ｈｏｍｅ  ｅｖｏｌｖｅｄ  ＮｏｄｅＢ、略してＨｅＮＢ）ＧＷ、およびホーム非３ＧＰＰ  ＷＡＰ  ＧＷ（Ｈｏｍｅ  ｎｏｎ−３ＧＰＰ  ＷＡＰ  ＧＷ）はそれぞれ、ユニバーサルＩＰアクセスネットワークを介してＨＮＢ、ＨｅＮＢおよびホーム非３ＧＰＰ  ＷＡＰ  ＧＷに接続されるＨＮＢのＧＷである。
【０００６】
移動性管理要素は、Ｅ−ＵＴＲＡＮにおける移動性管理エンティティ（Ｍｏｂｉｌｉｔｙ  Ｍａｎａｇｅｍｅｎｔ  Ｅｎｔｉｔｙ、略してＭＭＥ）、ＧＰＲＳ／ＵＭＴＳネットワークにおけるサービングＧＰＲＳサポートノード（Ｓｅｒｖｉｎｇ  ＧＰＲＳ  Ｓｕｐｐｏｒｔ  Ｎｏｄｅ、略してＳＧＳＮ）、および３ＧＰＰネットワークにアクセスするための非３ＧＰＰネットワークの非３ＧＰＰ  ＧＷ（ｎｏｎ−３ＧＰＰ  ＧＷ）、例えばＷＬＡＮにおける発展パケットデータ・ゲートウェイ（Ｅｖｏｌｖｅｄ  Ｐａｃｋｅｔ  Ｄａｔａ  Ｇａｔｅｗａｙ、略してＥＰＤＧ）、Ｗｉｍａｘネットワークにおけるアクセスサービス・ネットワークゲートウェイ（Ａｃｃｅｓｓ  Ｓｅｒｖｉｃｅ  Ｎｅｔｗｏｒｋ  Ｇａｔｅｗａｙ、略してＡＳＮ  ＧＷ）、ＣＤＭＡネットワークにおけるアクセスゲートウェイ（Ａｃｃｅｓｓ  Ｇａｔｅｗａｙ、略してＡＧＷ）、およびＨＲＰＤネットワークにおけるＨＲＰＤサービングゲートウェイ（ＨＲＰＤ  Ｓｅｒｖｉｎｇ  Ｇａｔｅｗａｙ、略してＨＳＧＷ）を含む。
【０００７】
既存の３Ｇネットワークにおいて、ＨＮＢは、無線ネットワークコントローラ（Ｒａｄｉｏ  Ｎｅｔｗｏｒｋ  Ｃｏｎｔｒｏｌｌｅｒ、略してＲＮＣ）、ＮＢ、およびゲートウェイＧＰＲＳサポートノード（Ｇａｔｅｗａｙ  ＧＰＲＳ  Ｓｕｐｐｏｒｔ  Ｎｏｄｅ、略してＧＧＳＮ）の機能を統合し、またローカル経路指定を実現できる。移動体運用者のコアネットワークから経路指定されたデータはＨＮＢ  ＧＷおよびＧＧＳＮを介してサービスネットワークに入り、ローカルに経路指定されたデータは統合されたＧＧＳＮ機能を介してホームネットワークに入り、ローカルに経路指定されてインターネットを宛先とするデータは広帯域アクセスネットワークを介してインターネットに入る。機能強化された（ｅｎｈａｎｃｅｄ）パケットネットワークにおけるＨＮＢのためのローカル経路指定ソリューションでは、ユーザデータのローカル経路指定を実現するために、ＨＮＢ（３Ｇアクセス技術に関しては、ＨＮＢはＲＮＣおよびＮＢの機能を統合し、発展ＵＭＴＳアクセス技術に関しては、ＨＮＢはＨｅＮＢである）は更に、サービングゲートウェイ（Ｓｅｒｖｉｎｇ  Ｇａｔｅｗａｙ、略してＳ−ＧＷ）およびパケットデータ・ネットワークゲートウェイ（Ｐａｃｋｅｔ  Ｄａｔａ  Ｎｅｔｗｏｒｋ  Ｇａｔｅｗａｙ、略してＰ−ＧＷ）の機能を統合している。移動体運用者のコアネットワークから経路指定されたデータはＨＮＢ（またはＨｅＮＢ）ＧＷおよびＰ−ＧＷを介してサービスネットワーク、例えばＩＭＳおよびインターネットに入り、ローカルに経路指定されたデータは統合されたＰ−ＧＷ機能を介してホームネットワークに入り、ローカルに経路指定されてインターネットを宛先とするデータは広帯域アクセスネットワークを介してインターネットに送信される。ＨＮＢ／ＨｅＮＢにおいて統合されたＳ−ＧＷは、すべてのユーザ・プレーン・データのために機能する。機能強化されたパケットネットワークにおけるＨＮＢのためのもう１つのローカル経路指定ソリューションでは、ユーザデータのローカル経路指定を実現するために、ＨＮＢ（３Ｇアクセス技術に関しては、ＨＮＢはＲＮＣおよびＮＢの機能を統合し、発展ＵＭＴＳアクセス技術に関しては、ＨＮＢはＨｅＮＢである）は更に、Ｓ−ＧＷおよびＰ−ＧＷの機能を統合している。移動体運用者のコアネットワークから経路指定されたデータはＨＮＢ（またはＨｅＮＢ）ＧＷとコアネットワークのＳ−ＧＷおよびＰ−ＧＷとを介してサービスネットワーク、例えばＩＭＳおよびインターネットに入り、ローカルに経路指定されたデータはＨＮＢにおいて統合されたＳ−ＧＷおよびＰ−ＧＷ機能を介してホームネットワークに入り、ローカルに経路指定されてインターネットを宛先とするデータは広帯域アクセスネットワークを介してインターネットに送信される。このアーキテクチャのコアネットワークのＳ−ＧＷは、運用者のコアネットワークのＰ−ＧＷに入り、またＰ−ＧＷから出て行くユーザ・プレーン・データのために機能する。ＨＮＢ／ＨｅＮＢにおいて統合されたＳ−ＧＷはローカルに経路指定されたユーザ・プレーン・データのために機能する。機能強化されたパケットネットワークにおけるＨＮＢのための第３のローカル経路指定ソリ���ーションでは、ユーザデータのローカル経路指定を実現するために、ＨＮＢ（３Ｇアクセス技術に関しては、ＨＮＢはＲＮＣおよびＮＢの機能を統合し、発展ＵＭＴＳアクセス技術に関しては、ＨＮＢはＨｅＮＢである）は、Ｐ−ＧＷの機能を統合している。移動体運用者のコアネットワークから経路指定されたデータはＨＮＢ（またはＨｅＮＢ）ＧＷとコアネットワークのＳ−ＧＷおよびＰ−ＧＷとを介してサービスネットワーク、例えばＩＭＳおよびインターネットに入り、ローカルに経路指定されたデータはＨＮＢにおいて統合されたＰ−ＧＷ機能を介してホームネットワークに入り、ローカルに経路指定されてインターネットを宛先とするデータは広帯域アクセスネットワークを介してインターネットに送信される。このアーキテクチャのコアネットワークのＳ−ＧＷは、運用者のコアネットワークのＰ−ＧＷに入り、またＰ−ＧＷから出て行くユーザ・プレーン・データのために機能する。コアネットワークのＳ−ＧＷは、コアネットワーク制御プレーンエンティティにダウンリンクデータ通知を送り、またローカルに経路指定されたデータに関するページングをトリガするというサービスだけを提供する。
【発明の概要】
【発明が解決しようとする課題】
【０００８】
従来技術には上記の不利点がある。従来技術の技術的ソリューションにおいてＵＥのページング範囲を制御することができない。
【課題を解決するための手段】
【０００９】
本発明の実施形態は、設定されたページング範囲内のＵＥをページングするようにＵＥをページングするための方法、装置およびシステムを提供する。
【００１０】
上記の目的を達成するために、本発明の第１の態様によれば、本発明の第１実施形態において提供されるＵＥをページングするための方法は、
ページング範囲インジケータ情報を含むダウンリンクデータ通知メッセージをコアネットワーク制御プレーンエンティティに送信することと、
コアネットワーク制御プレーンエンティティによって送信され、ページング範囲を含むページングメッセージを受信することと、
ページング範囲内のユーザＩＤに対応するＵＥに対するページングを開始することと、を含む。
【００１１】
本発明の第２の態様によれば、本発明の第２の実施形態において提供されるＵＥをページングするための装置は、
ページング範囲インジケータ情報を含むダウンリンクデータ通知メッセージをコアネットワーク制御プレーンエンティティに送信するように構成された第１の送信モジュールと、
コアネットワーク制御プレーンエンティティによって送信され、ページング範囲を含むページングメッセージを受信するように構成された第１の受信モジュールと、
ページング範囲内のユーザＩＤに対応するＵＥに対するページングを開始するように構成されたページング開始モジュールと、を含む。
【００１２】
本発明の第３の態様によれば、本発明の第３の実施形態において提供されるＵＥをページングするための装置は、
ページング範囲インジケータ情報を含むダウンリンクデータ通知メッセージを受信するように構成された第２の受信モジュールと、
ページング範囲インジケータ情報にしたがってページング範囲を含むページングメッセージを生成するように構成されたページングメッセージ生成モジュールと、
ページング範囲を含むページングメッセージをＨＮＢに送信するように構成された第２の送信モジュールと、を含む。
【００１３】
本発明の第４の態様によれば、本発明の第３の実施形態において提供されるＵＥをページングするためのシステムは、ＨＮＢとコアネットワーク制御プレーンエンティティとを含む。このＨＮＢは、ページング範囲インジケータ情報を含むダウンリンクデータ通知メッセージをコアネットワーク制御プレーンエンティティに送信し、コアネットワーク制御プレーンエンティティによって送信された、ページング範囲を含むページングメッセージを受信し、ページング範囲内のユーザＩＤに対応するＵＥに対するページングを開始するように構成される。コアネットワーク制御プレーンエンティティは、ダウンリンクデータ通知メッセージにしたがってページング範囲を含むページングメッセージを生成して、ページングメッセージをＨＮＢに送信するように構成される。
【発明の効果】
【００１４】
本発明の実施形態によるＵＥをページングするための方法、装置およびシステムを使用することによって、ページングインジケータ情報を含むダウンリンクデータ通知メッセージが、コアネットワーク制御プレーンエンティティに送信され、ページング範囲とユーザＩＤとを含むページングメッセージが設定されたページング範囲内のＵＥに対してページングが開始されるように、コアネットワーク制御プレーンエンティティから受信される。
【図面の簡単な説明】
【００１５】
【図１】本発明の一実施形態によるＵＥをページングするための方法の一実施形態の概略流れ図である。
【図２】本発明の一実施形態によるＵＥをページングするための装置の第１の実施形態の概略構造図である。
【図３】本発明の一実施形態によるＵＥをページングするための装置の第２の実施形態の概略構造図である。
【図４】本発明の一実施形態によるＵＥをページングするためのシステムの一実施形態の概略構造図である。
【図５】本発明の一実施形態によるＵＥをページングするための方法の第１の実施形態の概略流れ図である。
【図６】本発明の一実施形態によるＵＥをページングするための方法の第２の実施形態の概略流れ図である。
【図７】本発明の一実施形態によるＵＥをページングするための方法の第３の実施形態の概略流れ図である。
【図８】本発明の一実施形態によるＵＥをページングするための方法の第４の実施形態の概略流れ図である。
【図９】本発明の一実施形態によるＵＥをページングするための方法の第５の実施形態の概略流れ図である。
【図１０】本発明の一実施形態によるＵＥをページングするための方法の第６の実施形態の概略流れ図である。
【発明を実施するための形態】
【００１６】
本発明は、実施形態と添付図面とを参照しながら下記に詳細に説明される。
【００１７】
本発明の実施形態におけるＨＮＢは、ＨＮＢまたはＨｅＮＢであり得る。
【００１８】
図１は、本発明の一実施形態によるＵＥをページングするための方法の一実施形態の概略流れ図である。図１に示されているように、本方法は、下記のステップを含む。
【００１９】
ステップ１０１：ページング範囲インジケータ情報を含むダウンリンクデータ通知メッセージをコアネットワーク制御プレーンエンティティに送信する。具体的には、このステップは下記の通りであり得る。ＨＮＢまたはＨｅＮＢ  ＧＷはダウンリンクデータを受信した場合、ダウンリンクデータ通知メッセージをコアネットワーク制御プレーンエンティティに送信するが、ここで、ＨＮＢがダウンリンクデータを受信した場合、ＨＮＢによって送信されたダウンリンクデータ通知メッセージは先ずＨＮＢ  ＧＷに送信され得て、その後、ＨＮＢ  ＧＷがこのダウンリンクデータ通知メッセージをコアネットワーク制御プレーンエンティティに送信する。ＨＮＢはダウンリンクデータ通知メッセージをコアネットワーク制御プレーンエンティティに直接送信することもあり得るが、この場合、このメッセージのＩＰパケットはＨＮＢ  ＧＷを通過しないこともあり、あるいはこのメッセージのＩＰパケットはＨＮＢ  ＧＷを通過することもあり、その後、ＨＮＢ  ＧＷはこのメッセージをコアネットワーク制御プレーンエンティティに透過的に送信する。ＨＮＢがＨＮＢ  ＧＷを介してコアネットワーク制御プレーンエンティティに接続されているが、ＨＮＢがダウンリンクデータ通知メッセージをコアネットワーク制御プレーンエンティティに直接送信する場合、ダウンリンクデータ通知メッセージはＨＮＢに接続されたＨＮＢ  ＧＷのＩＤまたはアドレスを更に保持してもよく、コアネットワーク制御プレーンエンティティはページングメッセージが送信されることを必要としているＨＮＢ  ＧＷを決定するためにこの情報を使用し得る。ページング範囲インジケータ情報は、ページングインジケータ情報と、ＨＮＢまたはＨＮＢ  ＧＷによって決定されたページング範囲とを含み得る。
【００２０】
ステップ１０２：コアネットワーク制御プレーンエンティティによって送信されたページング範囲を含むページングメッセージを受信する。このページング範囲はＵＥをページングするために必要とされるＮＢの範囲であり、このページングメッセージはこのページング範囲内のＮＢだけに送信され得る。したがって、ＨＮＢ  ＧＷがネットワーク内に配備されている場合、ページングメッセージが送信される必要のあるＨＮＢ  ＧＷが決定され得る。ユーザＩＤはページングされるべきＵＥを決定するために使用され得る。
【００２１】
ステップ１０１とは異なるやり方で、ページング範囲は、ＵＥが常駐し、サービスを開始し、またはロケーション領域（ロケーション領域は、経路指定領域および／または追跡領域であり得る）を最後に更新したＨＮＢまたはＨＮＢ  ＧＷの記憶されているＩＤまたはアドレスにしたがってコアネットワーク制御プレーンエンティティによって決定され得、この場合、ＨＮＢまたはＨＮＢ  ＧＷによってコアネットワーク制御プレーンエンティティに送信されたダウンリンクデータ通知メッセージ内のページングインジケータ情報は、ＨＮＢまたはＨＮＢ  ＧＷのＩＤまたはアドレスを保持する必要がなく、ダウンリンクデータ通知もページングインジケータ情報を保持しなくてもよい。ＵＥは、ＨＮＢ  ＧＷに接続された１つのＨＮＢにおいてだけページングされる。ＨＮＢ  ＧＷを決定した後に、コアネットワーク制御プレーンエンティティは、ＨＮＢのＩＤまたはアドレスを保持するページングメッセージをＨＮＢ  ＧＷに送信し、ＨＮＢ  ＧＷは、ページングメッセージを対応するＨＮＢに送信する。本発明の他の実施形態では、コアネットワーク制御プレーンエンティティは、接続状態にあるＵＥが最後に常駐するＨＮＢまたはＨＮＢ  ＧＷの記憶されているＩＤまたはアドレスにしたがってページング範囲を決定し得る。
【００２２】
ステップ１０３：ページング範囲内のユーザＩＤに対応するＵＥに対するページングを開始する。このステップでは、ＵＥはユーザＩＤを使用することによって決定され得る。
【００２３】
この実施形態において、ページングインジケータ情報を含むダウンリンクデータ通知メッセージはコアネットワーク制御プレーンエンティティに送信され、特定のページング範囲に送信されたページングメッセージはコアネットワーク制御プレーンエンティティから受信され、ＵＥがこの特定のページング範囲内でページングされ得る。
【００２４】
本発明の上記の実施形態におけるページングインジケータ情報は、ダウンリンクパケットのソースアドレス情報、宛先アドレスおよびサービスタイプ、ダウンリンク・データソースのＰＤＮのアクセスポイント名（ＡＰＮ）、ダウンリンク・データソースのＰ−ＧＷ、または他のデータ記述を分析することによって取得され得て、また、ページングの範囲を示すために、例えばＩＤがＩＰアドレスでもあり得るＨＮＢまたはＨＮＢ  ＧＷのＩＤを示すために使用される。すなわち、ページングインジケータ情報はステップ１０１で取得され、ページング範囲は、ページングインジケータ情報にしたがって決定されて、ダウンリンクデータ通知メッセージを介してコアネットワーク制御プレーンエンティティに送信される。具体的には、上記のデータ記述情報は、ダウンリンクパケットが、ＨＮＢにおいて統合されたＰ−ＧＷまたはコアネットワークのＰ−ＧＷによって、ＨＮＢに経路指定されることを示し得る。
【００２５】
更に、ダウンリンクパケットのソースアドレス情報、宛先アドレス、データタイプ記述およびサービスタイプ、ダウンリンク・データソースのＰＤＮのＡＰＮ（ＰＤＮに接続されたＰ−ＧＷのアドレスまたはＩＤも含まれ得る）、およびＨＮＢまたはＨＮＢ  ＧＷのＩＤまたはアドレスは、ページングインジケータ情報としてコアネットワーク制御プレーンエンティティに送信され得る。ダウンリンクデータ通知メッセージを受信した後に、コアネットワーク制御プレーンエンティティはページング範囲インジケータ情報を取得し、このページング範囲インジケータ情報にしたがってページング範囲を決定する。ＨＮＢ  ＧＷがネットワーク内で構成される場合、ＨＮＢはダウンリンクデータを受信し、ＨＮＢによって送信されたページングインジケータ情報を含むダウンリンクデータ通知メッセージは、コアネットワーク制御プレーンエンティティに直接送信され得るか、あるいは先ずＨＮＢ  ＧＷに送信され、その後、このＨＮＢ  ＧＷによってコアネットワーク制御プレーンエンティティに送信され得る。ＨＮＢ  ＧＷによってコアネットワーク制御プレーンエンティティに送信されたページングインジケータ情報は、ＨＮＢによって送信されたオリジナル情報であり得るか、あるいは、ＨＮＢ  ＧＷによって送信されたページングインジケータ情報にしたがってＨＮＢ  ＧＷによって再生成され得る。ＨＮＢによって送信されたページングインジケータ情報がＨＮＢのＩＤを含まない場合には、ＨＮＢ  ＧＷによってコアネットワーク制御プレーンエンティティに送信されたページングインジケータ情報が、ＨＮＢ  ＧＷによって加えられたＨＮＢのＩＤを含み得る。
【００２６】
上記のステップ１０１で、ＨＮＢがＵＥコンテキストを記憶しないために、ダウンリンクデータ通知メッセージが利用可能なユーザＩＤを保持せず、ダウンリンクデータの宛先アドレスを含む場合には、このプロセスは更に下記のステップを含み得る。すなわち、コアネットワーク制御プレーンエンティティまたはＨＮＢ  ＧＷは、コンテキスト情報がユーザＩＤを含むダウンリンクデータ通知メッセージに保持されたページングインジケータ内の宛先アドレスまたは他の情報にしたがってＵＥの記憶されたコンテキスト情報を探索して取得する。ＵＥのコンテキスト情報を取得することができない場合、コアネットワーク制御プレーンエンティティは、宛先アドレスを含むページング誤りメッセージをＨＮＢ  ＧＷまたはＨＮＢに送信する。
【００２７】
上記ステップ１０２におけるページングメッセージは、ページング範囲を含む。ページング範囲は、ＨＮＢのＩＤ、ＵＥの閉鎖された加入者グループ（ＣＳＧ）リスト情報、またはユーザ登録領域情報によって明示的に識別され得るか、あるいは、例えば、ページングメッセージがダウンリンクデータ通知メッセージを送信するＨＮＢにだけ送信されて、このページングメッセージが上記アイテムの１つ以上を含む必要があるということを示す、コアネットワーク制御プレーンエンティティによって送信されて通知されたページング範囲に関する暗示的記述であり得る。
【００２８】
ステップ１０２は、具体的には下記の通りである。ＨＮＢは、コアネットワーク制御プレーンエンティティによってダウンリンクデータ通知メッセージとこのメッセージに保持されているページングインジケータ情報とにしたがって生成されて送信されたユーザＩＤを含むページングメッセージを受信する。この場合は、ＨＮＢ  ＧＷがネットワーク内で利用可能でなく、ＨＮＢとコアネットワーク制御プレーンエンティティとが直接接続されるシナリオに適応可能である。ＨＮＢ  ＧＷがネットワーク内に配備されていて、ＨＮＢ  ＧＷによって送信されたユーザＩＤを含むページングメッセージをＨＮＢが受信する場合、ページングメッセージは、ダウンリンクデータ通知メッセージとページングインジケータ情報とにしたがって生成され、コアネットワーク制御プレーンエンティティによってＨＮＢ  ＧＷに送信され、ページング範囲（ＨＮＢ  ＩＤ）とユーザＩＤとを含み得、ＨＮＢ  ＧＷはページングメッセージを対応するＮＢに送信することにだけ責任を有し、ページングメッセージはまた、コアネットワーク制御プレーンエンティティによって送信されたページング範囲インジケータを含むページングメッセージにしたがってページングされたＮＢをＨＮＢ  ＧＷが決定した後に、ＨＮＢ  ＧＷによって、対応するＮＢに送信され得る。
【００２９】
ＨＮＢ  ＧＷがページングメッセージを転送するときには更に、プロセスは具体的には下記の通りであり得る。ＨＮＢ  ＧＷは、ユーザ登録領域情報および／またはＣＳＧリスト情報にしたがって、ページングされるべきＨＮＢを決定して、ページングメッセージを送信する。あるいは、ＨＮＢ  ＧＷは、接続状態にあるＵＥがＨＮＢ  ＧＷによって制御された範囲内で最近帰属したＨＮＢにページングメッセージを送信する。
【００３０】
更に、ページング範囲内のユーザＩＤに対応するＵＥに対するページングを開始した後に、ＵＥのページング応答が予め設定された時間内に受信されない場合には、コアネットワーク制御プレーンエンティティは、ページング範囲がユーザ登録領域であると決定し、ページングメッセージをこのＵＥ登録領域内のすべてのＮＢに送信し、ＵＥをページングする。
【００３１】
更に、ステップ１０３でページング範囲内のユーザＩＤに対応するＵＥに対するページングを開始した後に、ＵＥがこのページングに応答するＮＢが、ダウンリンクデータを受信したＮＢとは異なる場合に、ダウンリンクデータを受信したＮＢはこのダウンリンクデータを、ＵＥがこのページングに応答するＮＢに転送する。
【００３２】
ＵＥがページングに応答し、コアネットワーク制御プレーンエンティティが初期ＵＥベアラー要求メッセージをＮＢに送信するとき、コアネットワーク制御プレーンエンティティは、ＰＤＮ接続がダウンリンクデータ通知メッセージを送信するＰＤＮ接続であるＰＤＮ接続のベアラーの一部だけを確立し得る。このコアネットワーク制御プレーンエンティティは、ダウンリンクデータ通知メッセージ内のページングインジケータ情報内に保持されたＡＰＮにしたがってページング範囲を決定する。
【００３３】
図２は本発明の一実施形態によるＵＥをページングするための装置の第１の実施形態の概略構造図である。図２に示されているように、ＵＥをページングするための装置１は、第１の送信モジュール１１と第１の受信モジュール１２とページング開始モジュール１３とを含む。第１の送信モジュール１１は、コアネットワーク制御プレーンエンティティによって送信されたページングインジケータ情報を含むダウンリンクデータ通知メッセージを送信するように構成される。第１の受信モジュール１２は、コアネットワーク制御プレーンエンティティによって送信されたページング範囲を含むページングメッセージを受信するように構成される。ページング開始モジュール１３は、ページング範囲内のユーザＩＤに対応するＵＥに対するページングを開始するように構成される。
【００３４】
この実施形態によるＵＥをページングするための装置は、ＵＥのページング範囲が制御され得るように、ページングインジケータ情報を含むダウンリンクデータ通知メッセージを送信し、コアネットワーク制御プレーンエンティティによって送信されたページング範囲を含むページングメッセージを受信する。
【００３５】
第１の送信モジュールおよび第１の受信モジュールはＨＮＢまたはＨＮＢ  ＧＷ内に設定される可能性があり、ページング開始モジュールは通常、ＨＮＢ内に設定される。
【００３６】
上記の実施形態における第１の送信モジュールは、情報取得ユニットと、第１の決定ユニットと、送信ユニットとを含む。情報取得ユニットは、ページングインジケータ情報を取得するように構成されており、このページングインジケータ情報は、ダウンリンクパケットのソースアドレス情報と、ダウンリンクパケットの宛先アドレスと、ダウンリンクパケットのサービスタイプと、ダウンリンク・データソースのＰＤＮのＡＰＮと、ダウンリンク・データソースのＰ−ＧＷとのうちの少なくとも１つを含む。第１の決定ユニットは、ページングインジケータ情報にしたがってページング範囲を決定するように構成される。送信ユニットは、ページングインジケータ情報内のページング範囲を搬送することによってページング範囲をコアネットワーク制御プレーンエンティティに送信するように構成される。
【００３７】
本発明の上記の実施形態におけるＵＥをページングするための装置は、ＨＮＢまたはＨＮＢ  ＧＷ内に設定され得る。本発明の一実施形態は更に、ＵＥをページングするための装置を提供する。図３は本発明の一実施形態によるＵＥをページングするための装置の第２の実施形態の概略構造図である。図３に示されているように、本装置は、第２の受信モジュール２１と、ページングメッセージ生成モジュール２２と、第２の送信モジュール２３とを含む。第２の受信モジュール２１は、ページング範囲インジケータ情報を含むダウンリンクデータ通知メッセージを受信するように構成される。ページングメッセージ生成モジュール２２は、ページング範囲インジケータ情報にしたがってページング範囲を含むページングメッセージを生成するように構成される。第２の送信モジュール２３は、ページング範囲を含むページングメッセージをＨＮＢに送信するように構成される。
【００３８】
本発明の本実施形態によるＵＥをページングするための装置は、ページング範囲インジケータ情報を含む受信されたダウンリンクデータ通知メッセージにしたがってページング範囲を決定でき、またページング範囲を含むページングメッセージを送信し、それによってＵＥのページング範囲を制御できる。
【００３９】
本発明の上記の実施形態におけるページングメッセージ生成モジュールは、取得ユニットと、第２の決定ユニットとを含み得る。取得ユニットは、ダウンリンクデータ通知メッセージ内のページング範囲インジケータ情報内のページングインジケータ情報を取得するように構成され、このページングインジケータ情報は、ダウンリンクパケットのソースアドレス情報と、ダウンリンクパケットの宛先アドレスと、ダウンリンクパケットのサービスタイプと、ダウンリンク・データソースのＰＤＮのＡＰＮと、ダウンリンク・データソースのＰ−ＧＷとのうちの少なくとも１つを含む。第２の決定ユニットは、ページングインジケータ情報にしたがって、ダウンリンクデータがＨＮＢまたはコアネットワークから来ていることを決定し、ページング範囲がＨＮＢまたはユーザ登録領域であることを示すページングメッセージを生成し、このページングメッセージを第２の送信モジュール２３に送信するように構成される。
【００４０】
更に、ページングメッセージがダウンリンク・データソース情報を含む場合、ページングメッセージ生成モジュールは第３の決定ユニットを含む。第３の決定ユニットは、ダウンリンクデータがＨＮＢから来ていることを第２の決定ユニットが決定した場合、ページングインジケータ情報内に含まれたＨＮＢのＨＮＢ  ＩＤまたはＨＮＢ  ＧＷ  ＩＤにしたがって、ページング範囲がＨＮＢであると決定するように構成され、またはＵＥのコンテキスト情報にしたがってＵＥが帰属する／帰属したＨＮＢのＨＮＢ  ＩＤを決定し、このＨＮＢ  ＩＤにしたがってページング範囲がＨＮＢであることを決定し、このページング範囲を含むページングメッセージを第２の送信モジュールに送信するように構成される。あるいは、この第３の決定ユニットは更に、ダウンリンクデータがコアネットワークから来ていることを第２の決定ユニットが決定した場合、ページング範囲がユーザ登録領域であると決定し、このページング範囲を含むページングメッセージを第２の送信モジュールに送信するように構成される。
【００４１】
更に、本発明の上記の実施形態によるＵＥをページングするための装置は、ページング回復モジュールを更に含み得る。このページング回復モジュールは、ページング開始モジュールがページング範囲内のユーザＩＤに対応するＵＥに対するページングを開始した後に、予め設定された時間内にＵＥのページング応答が受信されない場合に、このページング範囲がユーザ登録領域であると決定して、このユーザ登録領域内のＵＥをページングするように構成される。
【００４２】
本発明の一実施形態は更に、ＵＥをページングするためのシステムを提供する。図４は、本発明の一実施形態によるＵＥをページングするためのシステムの一実施形態の概略構造図である。図４に示されているように、本システムは、ＨＮＢ３１と、コアネットワーク制御プレーンエンティティ３２とを含む。ＨＮＢ３１は、ページング範囲インジケータ情報を含むダウンリンクデータ通知メッセージをコアネットワーク制御プレーンエンティティに送信し、コアネットワーク制御プレーンエンティティによって送信されたページング範囲を含むページングメッセージを受信し、このページング範囲内のユーザＩＤに対応するＵＥに対するページングを開始するように構成される。コアネットワーク制御プレーンエンティティ３２は、ダウンリンクデータ通知メッセージにしたがってページング範囲を含むページングメッセージを生成して、このページングメッセージを送信するように構成される。
【００４３】
この実施形態によるＵＥをページングするためのシステムにおいて、ＨＮＢによってコアネットワーク制御プレーンエンティティに送信されたダウンリンクデータ通知メッセージは、ページング範囲インジケータ情報を含み、ページング範囲は、ページング範囲インジケータ情報内のページングインジケータ情報にしたがって決定され得る。これによって、ＵＥはある一定の範囲内でページングされることができ、システム資源は節約され、システム負荷は軽減される。
【００４４】
更に、ＵＥをページングするためのシステムは、ＨＮＢによって送信されたダウンリンクデータ通知メッセージをコアネットワーク・ユーザ・プレーン制御エンティティに転送するように構成されたＨＮＢ  ＧＷ３３を更に含み、コアネットワーク・ユーザ・プレーン制御プレーンエンティティによって送信されたページング範囲を含むページングメッセージを受信した後に、このページングメッセージをページング範囲内のＨＮＢに送信し得る。
【００４５】
更に、上記のＨＮＢ  ＧＷはページング範囲を決定し得る。具体的には、ＨＮＢ  ＧＷは、ダウンリンクパケットのソースアドレス情報と、ダウンリンクパケットの宛先アドレスと、ダウンリンクパケットのサービスタイプと、ダウンリンク・データソースのＰＤＮのＡＰＮと、ダウンリンク・データソースのＰ−ＧＷとのうちの少なくとも１つを含むページングインジケータ情報を取得し、その後、このＨＮＢ  ＧＷは、ページングインジケータ情報にしたがってページング範囲を決定し、ページング範囲インジケータ情報内のページング範囲を搬送することによってページング範囲をコアネットワーク制御プレーンエンティティに送信する。
【００４６】
更に、この実施形態におけるページ範囲はＨＮＢによっても決定され得る。ページング範囲がＨＮＢによって決定されるとき、ＨＮＢは、ダウンリンクパケットのソースアドレス情報と、ダウンリンクパケットの宛先アドレスと、ダウンリンクパケットのサービスタイプと、ダウンリンク・データソースのＰＤＮのＡＰＮと、ダウンリンク・データソースのＰ−ＧＷとのうちの少なくとも１つを含むページング範囲情報を取得し、その後、ＨＮＢは、ページングインジケータ情報にしたがってページング範囲を決定し、ページング範囲インジケータ情報内のページング範囲を搬送することによってページング範囲をコアネットワーク制御プレーンエンティティに送信する。
【００４７】
ページング範囲がコアネットワーク制御プレーンエンティティによって決定されると、コアネットワーク制御プレーンエンティティは、ダウンリンクデータ通知メッセージを受信し、ページングインジケータ情報を取得し、ダウンリンクパケットのソースアドレス情報と、ダウンリンクパケットの宛先アドレスと、ダウンリンクパケットのサービスタイプと、ダウンリンク・データソースのＰＤＮのＡＰＮと、ダウンリンク・データソースのＰ−ＧＷとのうちの少なくとも１つを含むページングインジケータ情報にしたがってページング範囲を決定する。
【００４８】
更に、上記のコアネットワーク制御プレーンエンティティは、ＵＥのページング応答が予め設定された時間内に受信されない場合、ページングメッセージをＵＥ登録領域内のすべてのＮＢに送信するように構成され得る。ＵＥがダウンリンクデータを受信するＨＮＢとは別のＮＢにおけるページングに応答する場合には、コアネットワーク制御プレーンエンティティはＵＥのページング応答を受信するＮＢにダウンリンクデータを転送することをＨＮＢに命令する必要がある。
【００４９】
図５は本発明の一実施形態によるＵＥをページングするための方法の第１の実施形態の概略流れ図である。この実施形態ではＨＮＢはＳ−ＧＷを統合している。ＵＥがＨＮＢに常駐する場合、すべてのユーザデータはＨＮＢのＳ−ＧＷを通過し、ＵＥのダウンリンクデータがＨＮＢに到着するとき、ＨＮＢは、このダウンリンクデータが移動体運用者のコアネットワークから来ているか、またはホームネットワークからローカルに経路指定されているかを判定する。このデータがホームネットワークから来ている場合には、ＨＮＢは更に、データのソースアドレスにしたがって、データがホームネットワークの他のデバイスから来ているか、またはインターネットから来ているかを決定し得る。図５に示されているように、本方法は下記のステップを含む。
【００５０】
ステップ２０１：ＨＮＢは、ページングインジケータ情報を含むダウンリンクデータ通知メッセージをＨＮＢ  ＧＷに送信する。ＨＮＢ  ＧＷがシステム内に配備されていないときには、ＨＮＢはダウンリンクデータ通知メッセージをコアネットワーク制御プレーンエンティティに直接送信し得る、すなわち、ステップ２０２をスキップし得る。この実施形態のシステムアーキテクチャでは、ＨＮＢとコアネットワーク制御プレーンエンティティとの間には完全Ｓ４（ＨＮＢの場合）／Ｓ１１（ＨｅＮＢの場合）インタフェースが存在し得る。このインタフェースのトランザクション関連コンテキストを介して、ＵＥがＨＮＢとコアネットワーク制御プレーンエンティティとの間で決定され得る。ダウンリンクデータ通知メッセージは、ページング範囲を示すために使用されるページングインジケータ情報を保持し得る。
【００５１】
上記ページングインジケータ情報内のページング範囲は、パケットのソースアドレスおよび宛先アドレス等の情報にしたがって、または、ダウンリンクパケットがＨＮＢから送信されたかまたはコアネットワークのＰ−ＧＷから送信されたかに関する情報にしたがって、またはダウンリンクパケットに対応するＡＰＮ（すなわち、ＰＤＮ接続のＩＤ）にしたがって、ＨＮＢ内のＳ−ＧＷによって取得され得る。例えば、ダウンリンクパケットがＨＮＢのＰ−ＧＷから送信されている場合には、ページングインジケータ情報は、このＨＮＢだけにおけるページングを示し、またこの場合、ＨＮＢ  ＩＤを保持する。ダウンリンクパケットがコアネットワークのＰ−ＧＷから送信されている場合には、ページングインジケータ情報は、ユーザ登録領域情報によって示された範囲内のマクロＮＢと、オープンおよびハイブリッド・アクセスモードにおけるＨＮＢと、ユーザのＣＳＧホワイトリスト内のすべてのＨＮＢとにおけるページングを示す。このページングインジケータ情報はまた、ダウンリンクデータのソースアドレスおよび宛先アドレス、またはデータタイプ、ＡＰＮ、サービスタイプ、データソースのＰＤＮのＡＰＮ、ダウンリンクデータがコアネットワークのＰ−ＧＷまたはＨＮＢにおいて統合されたＰ−ＧＷから送信されているかどうかに関する情報、または、ＨＮＢ  ＩＤまたはアドレスでもあり得る。ＨＮＢがＨＮＢ  ＧＷを介してコアネットワーク制御プレーンエンティティに接続されていて、このＨＮＢがダウンリンクデータ通知メッセージをコアネットワーク制御プレーンエンティティに直接送信する場合には、ページングインジケータ情報は更に、ＨＮＢ  ＧＷのＩＤまたはアドレスを含み得る。本発明のすべての実施形態はこの原則に適合している。ＨＮＢ  ＧＷまたはコアネットワーク制御プレーンエンティティは、ページング範囲を決定する。更に、ＨＮＢとコアネットワーク制御プレーンエンティティとの間に不完全Ｓ４（ＨＮＢの場合）／Ｓ１１（ＨｅＮＢの場合）インタフェースが存在する場合、ダウンリンクデータ通知メッセージは更にユーザＩＤを保持し得る。
【００５２】
任意選択的に、ＨＮＢは、ページングインジケータ情報にしたがってページング範囲を決定し、ページング範囲とページングインジケータ情報とをＨＮＢ  ＧＷまたはコアネットワーク制御プレーンエンティティに送信する。
【００５３】
ステップ２０２：ＨＮＢ  ＧＷは、ダウンリンクデータ通知メッセージをコアネットワーク制御プレーンエンティティに送信し、ダウンリンクデータが到着することを通知する。このメッセージがページングインジケータ情報とＨＮＢ  ＩＤとユーザＩＤとを含む場合、ＨＮＢ  ＧＷは、このメッセージをコアネットワーク制御プレーンエンティティに送信するとき、ダウンリンクデータ通知メッセージ内のこの情報を保持し得る。ＨＮＢから送信されたダウンリンクデータ通知メッセージがＨＮＢ  ＩＤを保持しない場合、ＨＮＢ  ＧＷはＨＮＢのインタフェースコンテキストにしたがってＨＮＢ  ＩＤを決定し得、このメッセージをコアネットワーク制御プレーンエンティティに送信するときに、ＨＮＢ  ＩＤをダウンリンクデータ通知メッセージに加え得る。ホームＧＷがＨＮＢだけにおけるページングを開始すべきかどうかを決定して、ページング最適化を実行せずに通常領域におけるページングを開始すると決定し得る場合には、ＨＮＢ  ＧＷによってコアネットワーク制御プレーンエンティティに送信されたダウンリンクデータ通知メッセージは、ページングインジケータ情報を保持しないこともある。
【００５４】
任意選択的に、ＨＮＢ  ＧＷは、ページングインジケータ情報にしたがってページング範囲を決定し、ページング範囲とページングインジケータ情報とをＨＮＢ  ＧＷまたはコアネットワーク制御プレーンエンティティに送信する。
【００５５】
コアネットワーク制御プレーンエンティティによって送信されたダウンリンクデータ通知応答メッセージを受信した後に、ＨＮＢ  ＧＷはダウンリンクデータ通知応答メッセージをＨＮＢに送信するが、このメッセージはＨＮＢ  ＧＷがダウンリンクデータ通知メッセージを受信した直後に送信され得る。
【００５６】
ステップ２０３：コアネットワーク制御プレーンエンティティは、ページング範囲とユーザＩＤとを含むページングメッセージを生成する。ダウンリンクデータ通知メッセージを受信した後に、コアネットワーク制御プレーンエンティティは、ユーザの記憶されたコンテキスト情報を探索し、ページングインジケータ情報とＨＮＢ  ＩＤと、ユーザＩＤとＡＰＮとネットワーク構成と、運用者方針と、ユーザが加入しているローカル経路指定のサービス継続性とにしたがって、ページング範囲を決定する。ページング範囲がＨＮＢである場合には、コアネットワーク制御プレーンエンティティは、ページングをトリガするためにダウンリンクデータ通知メッセージを送信するＨＮＢまたはＨＮＢ  ＧＷだけにページングメッセージが送信されることを決定する。
【００５７】
コアネットワーク制御プレーンエンティティがダウンリンクデータ通知メッセージを正しく受信すると、コアネットワーク制御プレーンエンティティはダウンリンクデータ通知応答メッセージを送信し得る。
【００５８】
ステップ２０４：ＨＮＢ  ＧＷがネットワーク内に配備されている場合には、コアネットワーク制御プレーンエンティティは、ステップ７０３で決定されたＨＮＢ  ＧＷにユーザＩＤを保持するページングメッセージを送信する（ダウンリンクデータ通知メッセージがＨＮＢによってコアネットワーク制御プレーンエンティティに直接送信される場合には、ＨＮＢはページングインジケータ情報内に保持されたＨＮＢ  ＧＷのＩＤまたはアドレスにしたがって発見され、同じことが本発明のすべての実施形態に当てはまる）。ページング範囲がＨＮＢである場合には、このメッセージは更に、ＨＮＢ  ＩＤを保持し得るか、または、ダウンリンクデータが到着するＨＮＢだけにページングメッセージが送信されることを示す情報を保持し得る。ユーザが最近帰属するＨＮＢのＩＤにしたがって、コアネットワーク制御プレーンエンティティはＨＮＢのＩＤがＵＥコンテキスト内に記憶されているＨＮＢに接続されたＨＮＢ  ＧＷにページングメッセージを送信してもよく、ＵＥコンテキストはＨＮＢ  ＧＷのＩＤを含み得る。ネットワーク内にＨＮＢ  ＧＷが配備されていない場合には、ページングメッセージはＨＮＢに直接送信され、ステップ２０５はスキップされる。
【００５９】
ステップ２０５：ページングメッセージを受信した後に、ＨＮＢ  ＧＷは、制御されたＨＮＢにページングメッセージを送信する。このページングメッセージがＨＮＢ  ＩＤを保持している場合には、ＨＮＢ  ＧＷはこのＨＮＢ  ＩＤによって示されたＨＮＢだけにページングメッセージを送信する。ダウンリンクデータが到着するＨＮＢにだけページングが送信されることを示すためのインジケータをページングメッセージが保持する場合には、このＨＮＢ  ＧＷは、ユーザＩＤとコンテキスト情報とにしたがって、ダウンリンクデータが到着するＨＮＢを決定し、ページングメッセージをこのＨＮＢにだけ送信する。
【００６０】
ステップ２０６：ページングメッセージを受信したＨＮＢは、ユーザＩＤに対応するＵＥに対するページングを開始する。
【００６１】
ステップ２０７：ページングを受信した後に、ＵＥはこのページングに応答するためにサービス要求を開始する。このステップにおいて、ＵＥがある時間内にページングに応答しない場合には、コアネットワーク制御プレーンエンティティはローカル経路のＰＤＮ接続を解放するためにＰＤＮ接続不活性化を開始し得る。
【００６２】
図６は、本発明によるＵＥをページングするための方法の第２の実施形態の概略流れ図である。図６に示されているように、この実施形態において、ＨＮＢはＳ−ＧＷを統合している。ＵＥがＨＮＢに常駐しているときには、すべてのユーザデータはこのＨＮＢのＳ−ＧＷを通過し、ＵＥのダウンリンクデータがＨＮＢに到着したとき、このＨＮＢはこのダウンリンクデータが移動体運用者のコアネットワークから来ているか、ホームネットワークからローカルに経路指定されているかを判定する。データがホームネットワークから来ている場合には、ＨＮＢは更に、このデータのソースアドレスにしたがって、データがホームネットワークの他のデバイスから来ているか、またはインターネットから来ているかを決定し得る。本方法は下記のステップを含む。
【００６３】
ステップ３０１：ＨＮＢは、ページングインジケータ情報を含むダウンリンクデータ通知メッセージをＨＮＢ  ＧＷに送信する。ＨＮＢ  ＧＷがシステム内に配備されていない場合には、ＨＮＢはダウンリンクデータ通知メッセージをコアネットワーク制御プレーンエンティティに直接送信し得る、すなわち、ステップ３０２をスキップし得る。
【００６４】
この実施形態のシステムアーキテクチャでは、ＨＮＢとコアネットワーク制御プレーンエンティティとの間には完全（ｃｏｍｐｌｅｔｅ）Ｓ４（ＨＮＢの場合）／Ｓ１１（ＨｅＮＢの場合）インタフェースが存在し得る。このインタフェースのトランザクション関連コンテキストを介して、ＵＥは、ＨＮＢとコアネットワーク制御プレーンエンティティとの間で決定され得る。ダウンリンクデータ通知メッセージは、ページング範囲を示すために使用されるページングインジケータ情報を保持し得て、更にＨＮＢ  ＩＤを保持し得る。
【００６５】
上記ページングインジケータ情報内のページング範囲は、パケットのソースアドレスおよび宛先アドレス等の情報にしたがって、または、ＡＰＮに対応するダウンリンクパケットもしくはＰＤＮ接続の接続ベアラーＩＤに対応するダウンリンクパケットがＨＮＢからもしくはコアネットワークのＰ−ＧＷから送信されているかどうかに関する情報にしたがって、ＨＮＢ内のＳ−ＧＷによって取得され得る。例えば、ダウンリンクパケットがＨＮＢのＰ−ＧＷから送信されている場合には、ページングインジケータ情報は、ＨＮＢだけにおけるページングを示す。ダウンリンクパケットがコアネットワークのＰ−ＧＷから送信されている場合には、ページングインジケータ情報は、ユーザ登録領域情報によって示された範囲内のマクロＮＢと、オープンおよびハイブリッド・アクセスモードにおけるＨＮＢと、ユーザのＣＳＧホワイトリスト内のすべてのＨＮＢとにおけるページングを示す。このページング範囲情報は、ダウンリンクデータのソースアドレスおよび宛先アドレス、またはデータタイプだけを示し得て、ＨＮＢ  ＧＷまたはコアネットワーク制御プレーンエンティティはページング範囲を決定する。更に、ＨＮＢとコアネットワーク制御プレーンエンティティとの間に不完全（ｉｍｃｏｍｐｌｅｔｅ）Ｓ４（ＨＮＢの場合）／Ｓ１１（ＨｅＮＢの場合）インタフェースが存在するときには、ダウンリンクデータ通知メッセージは更にユーザＩＤを保持し得る。
【００６６】
任意選択的に、ＨＮＢは、ページングインジケータ情報にしたがってページング範囲を決定し、ページング範囲とページングインジケータ情報とをＨＮＢまたはコアネットワーク制御プレーンエンティティに送信する。
【００６７】
ステップ３０２：ＨＮＢ  ＧＷは、ページングインジケータ情報とＨＮＢ  ＩＤとユーザＩＤとを含み得るダウンリンクデータ通知メッセージをコアネットワーク制御プレーンエンティティに送信して、ダウンリンクデータが到着することを通知する。ＨＮＢから送信されたダウンリンクデータ通知メッセージがＨＮＢ  ＩＤを保持しない場合には、ＨＮＢ  ＧＷは、ＨＮＢのインタフェースコンテキストにしたがってＨＮＢ  ＩＤを決定し、このメッセージをコアネットワーク制御プレーンエンティティに送信するときにＨＮＢ  ＩＤをダウンリンクデータ通知メッセージに加え得る。異なる実現形態ソリューションによれば、ＨＮＢ  ＧＷがＨＮＢおいてだけページングを開始すべきであるかどうかを決定し得る場合には、ＨＮＢ  ＧＷによってコアネットワーク制御プレーンエンティティに送信されたダウンリンクデータ通知メッセージはページングインジケータ情報を保持しないこともある。
【００６８】
任意選択的に、ＨＮＢ  ＧＷは、ページングインジケータ情報にしたがってページング範囲を決定し、ページング範囲とページングインジケータ情報とをＨＮＢ  ＧＷまたはコアネットワーク制御プレーンエンティティに送信する。
【００６９】
更に、コアネットワーク制御プレーンエンティティがダウンリンクデータ通知メッセージを正しく受信すると、コアネットワーク制御プレーンエンティティはダウンリンクデータ通知応答メッセージをＨＮＢ  ＧＷに送信し得る。
【００７０】
コアネットワーク制御プレーンエンティティによって送信されたダウンリンクデータ通知応答メッセージを受信した後に、ＨＮＢ  ＧＷはダウンリンクデータ通知応答メッセージをＨＮＢに送信するが、このメッセージはＨＮＢ  ＧＷがダウンリンクデータ通知メッセージを受信した直後に送信され得る。
【００７１】
ステップ３０３：ダウンリンクデータ通知メッセージを受信した後に、コアネットワーク制御プレーンエンティティは上記ダウンリンクデータの宛先アドレスとＵＥ  ＩＤとにしたがって、ＵＥの記憶されたコンテキスト情報とページングインジケータ情報とＨＮＢ  ＩＤとユーザＩＤとを探索し、ページング範囲を決定する。このページング範囲がＨＮＢである場合には、コアネットワーク制御プレーンエンティティは、ページングをトリガするためにダウンリンクデータ通知メッセージを送信するＨＮＢまたはＨＮＢ  ＧＷだけにページングメッセージが送信されることを決定する。
【００７２】
ステップ３０４：ＨＮＢ  ＧＷがネットワーク内に配備されている場合には、コアネットワーク制御プレーンエンティティは、ユーザＩＤ情報を保持するページングメッセージをＨＮＢ  ＧＷに送信する。ページング範囲がＨＮＢである場合には、このメッセージは更に、ＨＮＢ  ＩＤを保持することを必要とする。ユーザが最近帰属するＨＮＢのＩＤにしたがって、コアネットワーク制御プレーンエンティティは、ＨＮＢのＩＤがＵＥコンテキスト内に記憶されているＨＮＢに接続されたＨＮＢ  ＧＷにページングメッセージを送信し得て、ＵＥコンテキストはＨＮＢ  ＧＷのＩＤを含み得る。ネットワーク内にＨＮＢ  ＧＷが配備されていない場合には、このページングはＨＮＢに直接送信され、ステップ３０５はスキップされる。
【００７３】
ステップ３０５：ページングメッセージを受信した後に、ＨＮＢ  ＧＷは、制御されたＨＮＢにページングメッセージを送信する。このページングメッセージがＨＮＢ  ＩＤを保持している場合には、ＨＮＢ  ＧＷはこのＨＮＢ  ＩＤによって示されたＨＮＢにページングメッセージを送信する。ダウンリンクデータが到着するＨＮＢにだけページングが送信されることを示すためのインジケータをページングメッセージが保持する場合には、このＨＮＢ  ＧＷは、ユーザＩＤとコンテキスト情報とにしたがって、ダウンリンクデータが到着するＨＮＢを決定し、ページングメッセージをこのＨＮＢに送信する。
【００７４】
ステップ３０６：ページングメッセージを受信したＨＮＢは、ユーザＩＤに対応するＵＥに対するページングを開始する。
【００７５】
ページングメッセージが指定されたＨＮＢに送信されるか、ＨＮＢ  ＧＷによって制御されるすべてのＨＮＢがページングされて、ＵＥがある時間内にページングに応答しない、すなわちコアネットワーク制御プレーンエンティティによって設定されたタイマが満了する場合には、コアネットワーク制御プレーンエンティティは、ユーザ登録領域情報によって示された範囲内のマクロＮＢと、オープンおよびハイブリッド・アクセスモードにおけるＨＮＢと、ユーザのＣＳＧホワイトリスト内のすべてのＨＮＢとにおけるページングを実行することを決定し得る。このタイマはＨＮＢ内に設定されることもあり得る。ＨＮＢ内のタイマが満了した後にページング応答が受信されない場合には、ＨＮＢはコアネットワーク制御プレーンエンティティまたはＨＮＢ  ＧＷに対するダウンリンクデータ通知メッセージを再び開始するが、このメッセージは全ユーザ登録領域におけるページングを示すインジケータ情報を保持し得るか、あるいはＵＥページング応答が受信されないことを示すインジケータ情報を保持し得る。ＨＮＢ  ＧＷは、ダウンリンクデータ通知メッセージをコアネットワーク制御プレーンエンティティに転送し、ユーザ登録領域内のすべてのＮＢにおいてページングを実行するようにコアネットワーク制御プレーンエンティティに命令する。タイマはＨＮＢ  ＧＷに設定されることもあり得る。タイマが満了した後に、ページング応答が受信されない場合には、ＨＮＢ  ＧＷはコアネットワーク制御プレーンエンティティに対するダウンリンクデータ通知メッセージを開始するが、このメッセージはユーザ登録領域におけるページングを実行するようにコアネットワーク制御プレーンエンティティに命令するページングインジケータ情報を保持する。
【００７６】
ＵＥが他のＮＢにおけるページングに応答し、コアネットワーク管理エンティティが新しいＳ−ＧＷを選択してコアネットワークにおけるＰＤＮ接続経路を更新する場合には、コアネットワーク制御プレーンエンティティは、ＨＮＢに通知し、ＵＥがページングに応答するＨＮＢ内のＳ−ＧＷまたはコアネットワークのＳ−ＧＷにダウンリンクデータを転送すべきかどうかをＨＮＢに指示し得る。あるいは、ＨＮＢは、データを廃棄することを決定するか、またはデータを転送することを決定するようにコアネットワーク制御プレーンエンティティに応答する。データ転送が完了した後に、ローカル経路指定のサービス継続が留保される必要がない場合には、ネットワークはローカル経路のＰＤＮ接続の不活性化を開始し得る。すべてのダウンリンク・データソースがローカルに経路指定されてローカル経路指定のサービス継続が留保される必要がない場合には、ネットワークはデータを転送しないことを決定し得て、ネットワークはローカル経路のＰＤＮ接続の不活性化を開始する。
【００７７】
ステップ３０７：ページングを受信した後に、ＵＥはこのページングに応答するためにサービス要求を開始する。
【００７８】
図７は本発明によるＵＥをページングするための方法の第３の実施形態の概略流れ図である。図７に示されているように、この実施形態において、ＨＮＢはＳ−ＧＷを統合している。ＵＥがＨＮＢに常駐しているときには、すべてのユーザデータはこのＨＮＢのＳ−ＧＷを通過し、ＵＥのダウンリンクデータがＨＮＢに到着したとき、このＨＮＢはこのダウンリンクデータが移動体運用者のコアネットワークから来ているか、ホームネットワークからローカルに経路指定されているかを判定する。データがホームネットワークから来ている場合には、ＨＮＢは更に、このデータのソースアドレスにしたがって、データがホームネットワークの他のデバイスから、またはインターネットから来ているかどうかを決定し得る。本方法は下記のステップを含む。
【００７９】
この実施形態におけるステップ４０１および４０２は上記の実施形態におけるステップ３０１および３０２と同じである。
【００８０】
ステップ４０３：ダウンリンクデータ通知メッセージを受信した後に、コアネットワーク制御プレーンエンティティは、ページングインジケータ情報とＨＮＢ  ＩＤとユーザＩＤとにしたがって、ＵＥの記憶されたコンテキスト情報を探索し、ページング範囲を決定する。
【００８１】
コアネットワーク制御プレーンエンティティは、ＵＥ加入と、ＡＰＮおよび他のネットワーク構成と、データソースがコアネットワークであることおよびデータタイプが緊急であることを示す情報とにしたがって、ページング範囲がユーザ登録領域であることを決定し得る。
【００８２】
このページング範囲がユーザ登録領域である場合には、コアネットワーク制御プレーンエンティティは、ユーザ登録領域内のマクロＮＢ、ＨＮＢまたはＨＮＢ  ＧＷ等のデバイスに送信されるべきページングメッセージを生成することを決定する。
【００８３】
ステップ４０４：コアネットワーク制御プレーンエンティティは、ユーザＩＤ情報を保持するページングメッセージをユーザ登録領域内のマクロＮＢ、ＨＮＢまたはＨＮＢ  ＧＷ等のデバイスに送信する。
【００８４】
ステップ４０５：ページングメッセージを受信した後に、ＨＮＢ  ＧＷはページングメッセージをすべての制御されたＨＮＢに送信する。
【００８５】
ステップ４０６：ページングメッセージを受信したＨＮＢは、ユーザＩＤに対応するＵＥに対するページングを開始し、同様にページングメッセージを受信したマクロＮＢもページングを開始する。
【００８６】
ステップ４０７：ページングを受信した後に、ＵＥはこのページングに応答するためにサービス要求を開始する。
【００８７】
ダウンリンクデータが到着するＨＮＢにおけるページングにユーザが応答する場合には、コアネットワーク制御プレーンエンティティは、キャッシュ記憶されたダウンリンクデータをユーザに送信するようにＨＮＢに通知する。
【００８８】
ユーザが他のＮＢにおけるページングに応答する場合には、コアネットワーク制御プレーンエンティティはＨＮＢに通知し、ユーザがページングに応答するＮＢにデータを転送するようにこのＨＮＢに命令する。あるいは、キャッシュ記憶されたデータソースまたはベアラーＱｏＳにしたがって、ＨＮＢは、データを廃棄することを決定するか、またはデータを転送することを決定するようにコアネットワーク制御プレーンエンティティに応答する。
【００８９】
図８は、本発明によるＵＥをページングするための方法の第４の実施形態の概略流れ図である。この実施形態では、Ｓ−ＧＷはＨＮＢとコアネットワークの両方に設定される（ＵＭＩＳ  ＨＮＢに関しては、対応するコアネットワーク制御プレーンエンティティはＳＧＳＮであり、ＵＭＴＳ  ＨＮＢがＬＴＦコアネットワークにアクセスする場合には、ＵＭＴＳ  ＨＮＢ上の制御プレーンエンティティはＳ−ＧＷである）。ＵＥがＨＮＢに常駐する場合は、ローカルに経路指定されたユーザデータはＨＮＢ上のＳ−ＧＷ／Ｐ−ＧＷを通過し、コアネットワーク・データはコアネットワーク内のＳ−ＧＷ／ＵＭＴＳを通過する。この実施形態では、ダウンリンク・ユーザデータはＨＮＢに到着し、ＨＮＢはこのデータがホームネットワークからローカルに経路指定されていることを知り、このデータのソースアドレスにしたがって、このデータがホームネットワークの他のデバイスから来ているかまたはインターネットから来ているかを決定し得る。図８に示されているように、本方法は下記のステップを含む。
【００９０】
ステップ５０１：ＨＮＢは、ページングインジケータ情報を含むダウンリンクデータ通知メッセージをＨＮＢ  ＧＷに送信する。ＨＮＢ  ＧＷがシステム内に配備されていない場合には、ＨＮＢはダウンリンクデータ通知メッセージをコアネットワーク制御プレーンエンティティに直接送信する、すなわち、ステップ５０２をスキップする。このステップにおいて、ＨＮＢとコアネットワーク制御プレーンエンティティとの間には完全Ｇｎ（ＨＮＢ）／Ｓ４（ＨＮＢ）／Ｓ１１（ＨｅＮＢ）インタフェースプロトコル・スタックが存在し得る。このインタフェースのトランザクション関連コンテキストを介して、ＵＥはＨＮＢとコアネットワーク制御プレーンエンティティとの間で決定され得る。ダウンリンクデータ通知メッセージはＨＮＢ  ＩＤを保持し得る。ＨＮＢとコアネットワーク制御プレーンエンティティとの間に不完全Ｇｎ（ＨＮＢ）／Ｓ４（ＨＮＢ）／Ｓ１１（ＨｅＮＢ）インタフェースプロトコル・スタックが存在する場合には、ダウンリンクデータ通知メッセージは更にユーザＩＤを保持し得る。
【００９１】
ステップ５０２：ＨＮＢ  ＧＷはダウンリンクデータ通知メッセージをコアネットワーク制御プレーンエンティティに送信する。ダウンリンクデータ通知メッセージがＨＮＢ  ＩＤとユーザＩＤとを含む場合には、ＨＮＢ  ＧＷは、ダウンリンクデータ通知メッセージをコアネットワーク制御プレーンエンティティに送信するときに、このダウンリンクデータ通知メッセージ内の情報を搬送し得る。ＨＮＢから送信されたダウンリンクデータ通知メッセージがＨＮＢ  ＩＤを保持しない場合には、ＨＮＢ  ＧＷはＨＮＢのインタフェースコンテキストにしたがってＨＮＢ  ＩＤを決定し、このメッセージをコアネットワーク制御プレーンエンティティに送信するときに、このＨＮＢ  ＩＤをダウンリンクデータ通知メッセージに加え得る。
【００９２】
更に、コアネットワーク制御プレーンエンティティがダウンリンクデータ通知メッセージを正しく受信したとき、コアネットワーク制御プレーンエンティティはダウンリンクデータ通知応答メッセージをＨＮＢ  ＧＷに送信し得る。
【００９３】
コアネットワーク制御プレーンエンティティによって送信されたダウンリンクデータ通知応答メッセージを受信した後に、ＨＮＢ  ＧＷはダウンリンクデータ通知応答メッセージをＨＮＢに送信するが、このメッセージはＨＮＢ  ＧＷがダウンリンクデータ通知メッセージを受信した直後に送信され得る。
【００９４】
ステップ５０３：ダウンリンクデータ通知メッセージを受信した後に、コアネットワーク制御プレーンエンティティは、ＨＮＢ  ＩＤとユーザＩＤとにしたがってＵＥの記憶されたコンテキスト情報を発見し、ページング範囲を決定する。
【００９５】
ページング範囲がＨＮＢである場合には、コアネットワーク制御プレーンエンティティは、ページングをトリガするためにダウンリンクデータ通知メッセージを送信するＨＮＢまたはＨＮＢ  ＧＷだけにページングメッセージが送信されることを決定し、コアネットワーク制御プレーンエンティティは、ユーザＩＤ情報を保持するページングメッセージを生成する。
【００９６】
ステップ５０４（任意選択的）：ＨＮＢ  ＧＷがネットワーク内に配備されている場合には、コアネットワーク制御プレーンエンティティは、ユーザＩＤ情報を保持するページングメッセージをＨＮＢ  ＧＷに送信する。ページング範囲がＨＮＢである場合には、このメッセージは更にＨＮＢ  ＩＤを保持する必要がある。ユーザが最近帰属するＨＮＢのＩＤにしたがって、コアネットワーク制御プレーンエンティティは、ページングメッセージをＨＮＢに接続されたＨＮＢ  ＧＷに送信し得るが、このＨＮＢのＩＤはＵＥコンテキストに記憶されており、ＵＥコンテキストはＨＮＢ  ＧＷのＩＤを含み得る。ＨＮＢ  ＧＷがネットワーク内に配備されていない場合には、ページングはＨＮＢに直接送信され、ステップ５０５はスキップされる。
【００９７】
ステップ５０５：ページングメッセージを受信した後に、ＨＮＢ  ＧＷは、制御されたＨＮＢにページングメッセージを送信する。このページングメッセージがＨＮＢ  ＩＤを保持する場合には、ＨＮＢ  ＧＷは、ページングメッセージをこのＨＮＢ  ＩＤ  によって示されたＨＮＢだけに送信する。
【００９８】
ステップ５０６：ページングメッセージを受信したＨＮＢはページングを開始する。
【００９９】
ステップ５０７：ページングを受信した後にＵＥはこのページングに応答するためにサービス要求を開始する。
【０１００】
ＵＥがある時間内にページングに応答しない場合には、コアネットワーク制御プレーンエンティティは、ローカル経路のＰＤＮ接続を解放するためにＰＤＮ接続不活性化を開始し得る。
【０１０１】
更に、上記の実施形態のステップ５０６において、指定されたＨＮＢに対してページングが開始されるか、またはＨＮＢ  ＧＷによって制御されたすべてのＨＮＢがページングされて、ＵＥがある時間内にそのページングに応答しない場合には、コアネットワーク制御プレーンエンティティは更に、ユーザ登録領域情報によって示された範囲内のマクロＮＢと、オープンおよびハイブリッド・アクセスモードにおけるＨＮＢと、ユーザのＣＳＧホワイトリスト内のすべてのＨＮＢとにおけるページングを開始することを継続し得る。
【０１０２】
ＵＥがページングに応答するＮＢが、ダウンリンクデータを受信したＨＮＢでない場合には、コアネットワーク制御プレーンエンティティは、上記ダウンリンクデータを受信したＨＮＢに通知し、このデータをＵＥがページングに応答するＮＢに転送するようにＨＮＢに命令し得る。あるいは、ＨＮＢはこのデータを廃棄するように決定するか、またはデータを転送することを決定するようにコアネットワーク制御プレーンエンティティに応答する。データ転送が完了した後に、ネットワークは、ローカル経路のＰＤＮ接続の不活性化を開始し、コアネットワーク・データを搬送するＰＤＮ接続は、コアネットワーク内のＳ−ＧＷを使用し続ける。このネットワークはまた、このデータを転送しないと決定することもあり得る。ネットワークは、ローカル経路のＰＤＮ接続の不活性化を開始し、コアネットワーク・データを搬送するＰＤＮ接続は、コアネットワーク内のＳ−ＧＷ／ＳＧＳＮを使用し続ける。
【０１０３】
図９は、本発明によるＵＥをページングするための方法の第５の実施形態の概略流れ図である。この実施形態では、Ｓ−ＧＷはＨＮＢおよびコアネットワークの両方において設定される（ＵＭＴＳ  ＨＮＢに関しては、対応するコアネットワーク制御プレーンエンティティはＳＧＳＮであって、ＵＭＴＳ  ＨＮＢがＬＴＥコアネットワークにアクセスする場合には、ＵＭＴＳ  ＨＮＢ上の制御プレーンエンティティはＳ−ＧＷである）。ＵＥがＨＮＢ上に常駐する場合、ローカルに経路指定されたユーザデータはＨＮＢ上のＳ−ＧＷ／ＳＧＳＮを通過し、コアネットワーク・データはコアネットワーク内のＳ−ＧＷ／ＳＧＳＮを通過する。この実施形態では、ダウンリンク・ユーザデータはＨＮＢに到着し、このＨＮＢは、データがホームネットワークからローカルに経路指定されていること知り、このデータのソースアドレスにしたがって、データがホームネットワークの他のデバイスから来ているかまたはインターネットから来ているかを決定し得る。図９に示されているように、本方法は下記のステップを含む。
【０１０４】
この実施形態におけるステップ６０１および６０２は図８に示されている実施形態におけるステップ５０１および５０２と同じである。
【０１０５】
ステップ６０３：ダウンリンクデータ通知メッセージを受信した後に、コアネットワーク制御プレーンエンティティは、ＨＮＢ  ＩＤとユーザＩＤとにしたがって、ユーザの記憶されたコンテキスト情報を発見し、ページング範囲を決定する。
【０１０６】
コアネットワーク制御プレーンエンティティは、ユーザ加入と、ＡＰＮおよび他のネットワーク構成と、データソースがコアネットワークであることおよびデータタイプが緊急であることを示す情報とにしたがって、ページング範囲がユーザ登録領域であると決定し得る。
【０１０７】
このページング範囲がユーザ登録領域である場合には、コアネットワーク制御プレーンエンティティは、ページングメッセージがユーザ登録領域内のマクロＮＢ、ＨＮＢまたはＨＮＢ  ＧＷ等のデバイスに送信されることを決定し、その後、ユーザ登録領域に送信されるべきページングメッセージを生成する。
【０１０８】
ステップ６０４：コアネットワーク制御プレーンエンティティは、ユーザＩＤ情報を保持するページングメッセージをユーザ登録領域内のマクロＮＢ、ＨＮＢまたはＨＮＢ  ＧＷ等のデバイスに送信する。
【０１０９】
ステップ６０５：ページングメッセージを受信した後に、ＨＮＢ  ＧＷはページングメッセージをすべての制御されたＨＮＢに送信する。
【０１１０】
ステップ６０６：ページングメッセージを受信したＨＮＢはページングを開始し、同様にページングメッセージを受信したマクロＮＢもページングを開始する。
【０１１１】
ステップ６０７：ページングを受信した後に、ＵＥはこのページングに応答するためにサービス要求を開始する。
【０１１２】
ダウンリンクデータが到着するＨＮＢにおけるページングにＵＥが応答する場合には、コアネットワーク制御プレーンエンティティは、キャッシュ記憶されたダウンリンクデータをＵＥに送信するようにＨＮＢに通知する。
【０１１３】
ＵＥが他のＮＢにおけるページングに応答する場合には、コアネットワーク制御プレーンエンティティはＨＮＢに通知し、ユーザがページングに応答するＮＢにデータを転送するようにこのＨＮＢに命令し得る。あるいは、キャッシュ記憶されたデータソースまたはベアラーＱｏＳにしたがって、ＨＮＢは、データを廃棄することを決定するか、またはデータを転送することを決定するようにコアネットワーク制御プレーンエンティティに応答する。
【０１１４】
図１０は、本発明によるＵＥをページングするための方法の第６の実施形態の概略流れ図である。この実施形態では、ＨＮＢはＳ−ＧＷと統合されない。ＵＥがＨＮＢ上に常駐するときには、すべてのユーザデータはＨＮＢにおいて統合されたＰ−ＧＷを通過してＨＮＢに直接送信される。ＵＥのダウンリンクデータがＨＮＢのＰ−ＧＷに到着すると、ＨＮＢのＰ−ＧＷはデータをコアネットワークのＳ−ＧＷに送信する。コアネットワークのＳ−ＧＷは、ダウンリンク・データソースおよび接続ポートのＰ−ＧＷにしたがって、ダウンリンクデータが移動体運用者のコアネットワークから来ているのか、またはホームネットワークからローカルに経路指令されているのかを判定する。ダウンリンクデータがホームネットワークから来ている場合には、コアネットワークのＳ−ＧＷは更に、データのソースアドレスにしたがって、ダウンリンクデータがホームネットワークの他のデバイスから来ているか、またはインターネットから来ているかを決定し得る。コアネットワークのＳ−ＧＷは、ダウンリンク・データソースにしたがって、ダウンリンクデータ通知をコアネットワーク制御プレーンエンティティに送信すべきかどうかを判定し得る。コアネットワークのＳ−ＧＷによってコアネットワーク制御プレーンエンティティに送信されたダウンリンクデータ通知は、Ｓ−ＧＷによって生成されたページングインジケータ情報を保持し得る。コアネットワーク制御プレーンエンティティは、ページングインジケータ情報とユーザ加入と運用者構成とＡＰＮとにしたがって、ページングメッセージをＨＮＢまたはＨＮＢ  ＧＷに送信すべきかどうかを決定する。図１０に示されているように、本方法は下記のステップを含む。
【０１１５】
ステップ７０１：ＨＮＢは、ダウンリンクデータをコアネットワークのＳ−ＧＷに送信する。この実施形態のシステムアーキテクチャでは、ＨＮＢとコアネットワーク制御プレーンエンティティとの間に完全Ｓ５インタフェースが存在し得る。このインタフェースのトランザクション関連コンテキストを介して、ＵＥがＨＮＢとコアネットワーク制御プレーンエンティティとの間で決定され得る。ＨＮＢにおいて統合されたＰ−ＧＷは、Ｓ−ＧＷにダウンリンクデータを送信するときに、送信する前に、または送信した後に、ページング範囲を示すために使用されるページングインジケータ情報を保持し得て、ここでページングインジケータは、ＨＮＢ  ＩＤまたはアドレスを保持し得、ＨＮＢ  ＧＷがネットワーク内に配備されている場合には、ＨＮＢ  ＧＷ  ＩＤまたはアドレスを更に保持し得る。
【０１１６】
上記のページングインジケータ情報内のページング範囲は、パケットのソースアドレスおよび宛先アドレス、またはダウンリンクパケットに対応するＡＰＮ（すなわち、ＰＤＮ接続のＩＤ）等の情報にしたがって、ＨＮＢ内のＰ−ＧＷによって取得され得る。ＨＮＢとコアネットワークのＳ−ＧＷとの間に不完全Ｓ５インタフェースが存在する場合、ＨＮＢにおいて統合されたＰ−ＧＷは更に、ダウンリンクデータを送信するときのユーザＩＤを保持し得る。
【０１１７】
任意選択的に、ＨＮＢは、ページングインジケータ情報にしたがってページング範囲を決定し、ページング範囲とページングインジケータ情報とをＨＮＢ  ＧＷまたはコアネットワーク制御プレーンエンティティに送信する。
【０１１８】
ステップ７０２：コアネットワークのＳ−ＧＷは、ダウンリンクデータ通知メッセージをコアネットワーク制御プレーンエンティティに送信し、ダウンリンクデータが到着したことを通知するが、このメッセージは、ページングインジケータ情報とユーザＩＤとを含む可能性がある。
【０１１９】
ページング範囲は、上記ページングインジケータ情報に含まれるパケットのソースアドレスおよび宛先アドレス、またはダウンリンクパケットがＨＮＢからまたはコアネットワークのＰ−ＧＷから送信されたかどうかに関する情報、またはダウンリンクパケットに対応するＡＰＮ（すなわち、ＰＤＮ接続のＩＤ）等の情報にしたがって、コアネットワークのＳ−ＧＷによって取得され得る。例えば、ダウンリンクパケットがＨＮＢのＰ−ＧＷから送信された場合には、ページングインジケータ情報は、ユーザ登録領域内のオープンおよびハイブリッド・アクセスモードにおけるＨＮＢのみと、ユーザのＣＳＧホワイトリスト内のすべてのＨＮＢとにおけるページングを示す。ダウンリンクパケットがコアネットワークのＰ−ＧＷから送信された場合には、ページングインジケータ情報は、ユーザ登録領域情報によって示された範囲内のマクロＮＢと、オープンおよびハイブリッド・アクセスモードにおけるＨＮＢと、ユーザのＣＳＧホワイトリスト内のすべてのＨＮＢとにおけるページングを示す。ページングインジケータ情報はまた、ダウンリンクデータのソースアドレスおよび宛先アドレスと、データタイプと、ＡＰＮと、サービスタイプと、データソースのＰＤＮのＡＰＮと、ダウンリンクデータがコアネットワークのＰ−ＧＷから送信されたか、またはＨＮＢにおいて統合されたＰ−ＧＷから送信されたかに関する情報とのうちの少なくとも１つを含み得る。ＨＮＢがＨＮＢ  ＧＷを介してコアネットワーク制御プレーンエンティティに接続されるが、このＨＮＢがＨＮＢのＩＤまたはアドレス、またはＨＮＢ  ＧＷのＩＤまたはアドレスをコアネットワークのＳ−ＧＷに送信する場合には、ページングインジケータ情報はＨＮＢのＩＤまたはアドレス、あるいはＨＮＢ  ＧＷのＩＤまたはアドレスを更に含む必要がある。コアネットワークのＳ−ＧＷはまた、ＩＰリンクからＨＮＢまたはＨＮＢ  ＧＷのアドレスを取得し得る。これらすべての情報は、ページングインジケータ情報としてコアネットワーク制御プレーンエンティティに送信され得る。
【０１２０】
コアネットワーク制御プレーンエンティティは、ダウンリンクデータ通知応答メッセージをコアネットワークのＳ−ＧＷに送信する。
【０１２１】
ステップ７０３：コアネットワーク制御プレーンエンティティは、ページング範囲とユーザＩＤとを含むページングメッセージを生成する。ダウンリンクデータ通知メッセージを受信した後に、コアネットワーク制御プレーンエンティティは、ユーザの記憶されたコンテキスト情報を探索し、ページング範囲インジケータとして、ページングインジケータ情報と、ＨＮＢ  ＩＤと、ユーザＩＤと、ＡＰＮと、ネットワーク構成と、運用者方針と、ユーザが加入しているローカル経路指定のサービス継続性とのうちの少なくとも１つを使用することによってページング範囲を決定する。
【０１２２】
ページング範囲がＨＮＢであって、ＨＮＢ  ＧＷがネットワーク内に配備されておらず、コアネットワーク制御プレーンエンティティがＨＮＢのＩＤまたはアドレスをＳ−ＧＷから取得する場合には、コアネットワーク制御プレーンエンティティは、ページングをトリガするためにダウンリンクデータ通知メッセージを送信するＨＮＢだけにページングメッセージが送信され得ることを決定する。ページング範囲がＨＮＢであって、ＨＮＢ  ＧＷがネットワーク内に配備されており、コアネットワーク制御プレーンエンティティがＨＮＢ  ＧＷのＩＤまたはアドレスをＳ−ＧＷから取得する場合には、コアネットワーク制御プレーンエンティティは、ページングをトリガするためにダウンリンクデータ通知メッセージを送信するＨＮＢ  ＧＷだけにページングメッセージが送信され得ることを決定する。ページング範囲がＨＮＢであって、ＨＮＢ  ＧＷがネットワーク内に配備されており、コアネットワーク制御プレーンエンティティがＨＮＢおよびＨＮＢ  ＧＷのＩＤまたはアドレスをＳ−ＧＷから取得する場合には、コアネットワーク制御プレーンエンティティは、ページングをトリガするためにダウンリンクデータ通知メッセージを送信するＨＮＢ  ＧＷだけにページングメッセージが送信され得ることを決定するが、ここでダウンリンクデータ通知メッセージはＨＮＢのＩＤまたはアドレスを保持している。ページング範囲がＨＮＢであって、ＨＮＢ  ＧＷがネットワーク内に配備されており、コアネットワーク制御プレーンエンティティがＨＮＢおよびＨＮＢ  ＧＷのＩＤまたはアドレスをＳ−ＧＷから取得しない場合には、コアネットワーク制御プレーンエンティティは、ユーザをページングするためにユーザ登録領域内のオープンおよびハイブリッド・アクセスモードにおけるＨＮＢとユーザのＣＳＧホワイトリスト内のすべてのＨＮＢとにページングメッセージが送信されることを決定する。
【０１２３】
ステップ７０４：ＨＮＢ  ＧＷがネットワーク内に配備されている場合には、コアネットワーク制御プレーンエンティティは、ステップ７０３において決定されたＨＮＢ  ＧＷにユーザＩＤ情報を保持するページングメッセージを送信する（ダウンリンクデータ通知メッセージがＨＮＢによってコアネットワーク制御プレーンエンティティに直接送信される場合には、ＨＮＢは、ページングインジケータ情報内に保持されているＨＮＢ  ＧＷのＩＤまたはアドレスにしたがって発見される）。ページング範囲はＨＮＢであるが、ＨＮＢの特定のＩＤまたはアドレスが利用可能でない場合には、このメッセージは更に、ユーザ登録領域リストとユーザのＣＳＧホワイトリストとを保持し、上記領域内のオープンおよびハイブリッド・アクセスモードにおけるすべてのＨＮＢにおけるページングを示す。ユーザが最近帰属するＨＮＢのＩＤにしたがって、コアネットワーク制御プレーンエンティティはページングメッセージをＨＮＢに接続されたＨＮＢ  ＧＷに送信し得るが、このＨＮＢのＩＤはＵＥコンテキストに記憶されており、ＵＥコンテキストはＨＮＢ  ＧＷのＩＤを含み得る。ＨＮＢ  ＧＷがネットワーク内に配備されていない場合には、ページングはＨＮＢに直接送信され、ステップ７０５はスキップされる。
【０１２４】
ステップ７０５：ページングメッセージを受信した後に、ＨＮＢ  ＧＷは、制御されたＨＮＢにページングメッセージを送信する。このページングメッセージがＨＮＢ  ＩＤを保持する場合には、ＨＮＢ  ＧＷはこのＨＮＢ  ＩＤによって示されたＨＮＢだけにページングメッセージを送信する。ダウンリンクデータが到着するＨＮＢだけにページングメッセージが送信されることを示すためのインジケータをページングメッセージが保持する場合には、ＨＮＢ  ＧＷは、ユーザＩＤおよびコンテキスト情報にしたがって、ダウンリンクデータが到着するＨＮＢを決定し、ページングメッセージをＮＢだけに送信する。
【０１２５】
ステップ７０６：ページングメッセージを受信したＨＮＢは、ユーザＩＤに対応するＵＥに対するページングを開始する。
【０１２６】
ステップ７０７：ページングを受信した後に、ＵＥはこのページングに応答するためにサービス要求を開始する。このステップにおいて、ＵＥがある時間内にページングに応答しない場合には、コアネットワーク制御プレーンエンティティは、ローカル経路のＰＤＮ接続を解放するためにＰＤＮ接続不活性化を開始し得る。
【０１２７】
ユーザ加入と運用者方針または構成とユーザデータを送信するＰＤＮ接続とがローカル経路指定のサービス継続性をサポートし、ページングメッセージが指定のＨＮＢに送信されるか、または、ＨＮＢ  ＧＷによって制御されたすべてのＨＮＢがページングされて、ＵＥがある時間内にそのページングに応答しない、すなわち、コアネットワーク制御プレーンエンティティによって設定されたタイマが満了する場合には、コアネットワーク制御プレーンエンティティは、ユーザ登録領域情報によって示された範囲内のマクロＮＢと、オープンおよびハイブリッド・アクセスモードにおけるＨＮＢと、ユーザのＣＳＧホワイトリスト内のすべてのＨＮＢとにおいてページングを実行することを決定し得る。このタイマはＨＮＢ内に設定され得る。ＨＮＢ内のタイマが満了した後にページング応答が受信されない場合には、ＨＮＢはコアネットワーク制御プレーンエンティティまたはＨＮＢ  ＧＷに対するダウンリンクデータ通知メッセージを再び開始するが、このメッセージは、全ユーザ登録領域におけるページングを示すインジケータ情報、またはＵＥページング応答が受信されないことを示すインジケータ情報を保持し得る。ＨＮＢ  ＧＷは、ダウンリンクデータ通知メッセージをコアネットワーク制御プレーンエンティティに転送して、ユーザ登録領域内のすべてのＮＢにおいてページングを実行するようにコアネットワーク制御プレーンエンティティに命令する。タイマはＨＮＢ  ＧＷ内に設定されることもあり得る。タイマが満了した後にページング応答が受信されない場合には、ＨＮＢ  ＧＷはコアネットワーク制御プレーンエンティティに対するダウンリンクデータ通知メッセージを開始するが、このメッセージは、ユーザ登録領域においてページングを実行するようにコアネットワーク制御プレーンエンティティに命令するページングインジケータ情報を保持する。
【０１２８】
上記の実施形態では、ＨＮＢ  ＧＷはシステム内に設定されるが、ＨＮＢとコアネットワーク制御プレーンエンティティとの間で交換される幾つかのメッセージは、コアネットワーク制御プレーンエンティティに直接、またはＨＮＢにＩＰ経路指定を介して送信され得るか、あるいは直接ＨＮＢ  ＧＷを通して経路指定され得る。この場合、ＨＮＢ  ＧＷはこれらのメッセージを処理しない。更に、ＬＴＥシステムでは、ＨＮＢ  ＧＷは任意選択的である、すなわち、ＨＮＢ  ＧＷは存在しないこともある。この場合、ＨＮＢおよびコアネットワーク制御プレーンエンティティは、直接接続され、種々のメッセージを相互に送信し処理する。この特定の流れ図は上記の実施形態における流れ図と同様である。本発明の実施形態では、ＵＥのＩＰアドレスとユーザＩＤとユーザ登録領域情報とユーザのＣＳＧリスト情報とをＨＮＢ  ＧＷ内に設定アップするための方法は、下記のステップを含む。
【０１２９】
ＨＮＢ  ＧＷは、データをローカルに経路指定するときＮＡＴ処理を実行する必要があり、またこの場合、ユーザＩＰアドレスとＨＮＢ  ＧＷのアドレスおよびポートとの間のマッピング関係が記録される。
【０１３０】
コアネットワーク制御プレーンエンティティとＨＮＢ  ＧＷとの間にユーザ・プレーン接続を確立するときに、コアネットワーク制御プレーンエンティティはユーザＩＤとユーザ登録領域情報（ＴＡＩリスト）とユーザのＣＳＧリスト情報とを受信する。コアネットワーク制御プレーンエンティティがリンクの解放をトリガするとき、ＨＮＢ  ＧＷはユーザの上記の情報を記憶するか、あるいはコアネットワーク制御プレーンエンティティがリンクの解放をトリガするとき、ＨＮＢ  ＧＷはコアネットワーク制御プレーンエンティティとの信号送出リンクを保持し、ＨＮＢ  ＧＷとＨＮＢとの間のリンクだけを解放する。
【０１３１】
更に、上記の方法はＨＮＢがＵＥコンテキストを作成する場合に適用可能である。ＨＮＢがローカル切替えを起動するときに、コアネットワーク制御プレーンエンティティはユーザＩＤ等の情報をＨＮＢ  ＧＷに送信し、ＨＮＢ  ＧＷは上記の情報をＨＮＢに送信する。ユーザＩＤは、恒久的ＩＤ（ＩＭＳＩ）または一時的ＩＤ（Ｓ−ＴＭＳＩまたはＧＵＴＩ）であり得る。コアネットワーク制御プレーンエンティティによってＨＮＢ  ＧＷに通知されたＩＤがＩＭＳＩである場合には、コアネットワーク制御プレーンエンティティは、ユーザのＳ１接続メッセージを初めて作成するときに、パラメータを送信し得る。ＨＮＢ  ＧＷに通知されたＩＤがＳ−ＴＭＳＩまたはＧＵＴＩである場合には、このメッセージはパラメータを毎回保持し得るか、あるいはこのメッセージはパラメータが変更されるときにだけパラメータを保持し得る。
【０１３２】
当業者は、本発明の実施形態における方法がページング範囲を決定するマクロＮＢのシナリオにおいても使用可能であり、またマクロＮＢのシナリオにおいて本発明の幾つかの技術的特徴に対する種々の修正および同等の代用を行い得ることを理解し得る。
【０１３３】
本発明の実施形態によるＵＥをページングするための方法、装置およびシステムを使用することによって、ページングインジケータ情報を含むダウンリンクデータ通知メッセージは、コアネットワーク制御プレーンエンティティが、ある一定のページング範囲内のＵＥをページングできるように、コアネットワーク制御プレーンエンティティに送信される。その結果、システム資源は節約され、システム負荷は軽減される。
【０１３４】
本発明の実施形態による技術的ソリューションの全部または一部は関連ハードウエアに命令するプログラムによって実現され得る。このプログラムは読取り可能記憶媒体に記憶され得る。記憶媒体は、読取り専用メモリ（ＲＯＭ）、ランダム・アクセス・メモリ（ＲＡＭ）、磁気ディスク、またはコンパクトディスク−読取り専用メモリ（ＣＤ−ＲＯＭ）等の、プログラムコードを記憶できる任意の媒体であり得る。
【０１３５】
最後に、上記の実施形態が、本発明の技術的ソリューションを限定するためではなく、本発明の技術的ソリューションを説明するためにだけ使用されていることは留意されるべきである。本発明は前述の実施形態を参照しながら詳細に説明されているが、当業者は、本発明の実施形態の技術的ソリューションの精神および範囲から逸脱せずに、前述の実施形態において説明された技術的ソリューションに対してなお修正を行うことができる、あるいはこれらの幾つかの技術的特徴に対して同等の代用を行い得ることを理解すべきである。
【図１】
0005235248.tif 000002
【図２】
0005235248.tif 000003
【図３】
0005235248.tif 000004
【図４】
0005235248.tif 000005
【図５】
0005235248.tif 000006
【図６】
0005235248.tif 000007
【図７】
0005235248.tif 000008
【図８】
0005235248.tif 000009
【図９】
0005235248.tif 000010
【図１０】
0005235248.tif 000011